【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示手段を備え、予め定められた特定表示結果が前記識別情報の表示結果として導出表示されたときに、遊技者にとって有利な特定遊技状態に制御する遊技機であって、
遊技者によって操作可能な第１操作手段と、
遊技者によって操作可能な、該第１操作手段とは異なる第２操作手段と、
遊技者による前記第１操作手段の操作を検出する第１操作検出手段と、
遊技者による前記第２操作手段の操作を検出する第２操作検出手段と、
前記第１操作検出手段または前記第２操作検出手段による検出結果に基づいて、所定の報知演出を実行する報知演出実行手段と、を備え、
前記報知演出実行手段は、前記第１操作検出手段または前記第２操作検出手段による検出結果に応じて、所定の報知演出を異なる割合で実行し、
前記第１操作検出手段によって前記第１操作手段の操作が検出されず、且つ前記第２操作検出手段によって前記第２操作手段の操作が検出されなかった場合には、所定の報知演出を実行しない、
ことを特徴とする遊技機。
【手続補正２】
【補正対象書類名】明細書
【補正対象項目名】０００７
【補正方法】変更
【補正の内容】
【０００７】
（１）上記目的を達成するため、本願に係る遊技機は、各々を識別可能な複数種類の識別情報（例えば飾り図柄など）の可変表示を行い表示結果を導出表示する可変表示手段（例えば変動表示装置９など）を備え、予め定められた特定表示結果（例えば大当り図柄の組合せなど）が前記識別情報の表示結果として導出表示されたときに、遊技者にとって有利な特定遊技状態（例えば大当り遊技状態など）に制御する遊技機（例えばパチンコ遊技機１など）であって、遊技者によって操作可能な第１操作手段（例えば操作レバー３００など）と、遊技者によって操作可能な、該第１操作手段とは異なる第２操作手段（例えばトリガー５１２など）と、遊技者による前記第１操作手段の操作を検出する第１操作検出手段（例えばレバースイッチ５１０ａ〜５１０ｄなど）と、遊技者による前記第２操作手段の操作を検出する第２操作検出手段（例えばトリガースイッチ５１２ａなど）と、前記第１操作検出手段または前記第２操作検出手段による検出結果に基づいて、所定の報知演出（例えばバトルモード突入報知など）を実行する報知演出実行手段（例えば演出制御用マイクロコンピュータ８１など）と、を備え、前記報知演出実行手段は、前記第１操作検出手段または前記第２操作検出手段による検出結果に応じて、所定の報知演出を異なる割合で実行し、前記第１操作検出手段によって前記第１操作手段の操作が検出されず、且つ前記第２操作検出手段によって前記第２操作手段の操作が検出されなかった場合には、所定の報知演出を実行しない、ことを特徴とする。
上記遊技機によれば、第１操作検出手段または第２操作検出手段による検出結果に応じて、所定の報知演出が異なる割合で実行されるため、第１操作手段と第２操作手段との操作に対する興趣を向上させることができる。
【手続補正３】
【補正対象書類名】明細書
【補正対象項目名】０００８
【補正方法】変更
【補正の内容】
【０００８】
（２）上記（１）に記載の遊技機において、前記第２操作手段は、前記第１操作手段とは異なる操作態様で遊技者によって操作される。
上記遊技機によれば、第１操作手段と第２操作手段との操作態様を異ならせることにより、第１操作手段及び第２操作手段の操作に対する興趣がさらに向上する。
【手続補正４】
【補正対象書類名】明細書
【補正対象項目名】０００９
【補正方法】変更
【補正の内容】
【０００９】
（３）上記（１）又は（２）に記載の遊技機において、前記報知演出実行手段は、目標対象（例えば敵機など）と照準位置（例えば照準カーソルなど）とを表示する表示手段（例えば変動表示装置９や、液晶表示器１００９、演出制御用マイクロコンピュータ８１のＣＰＵ８６がステップＳａ１７４の処理を実行する部分など）と、前記第１操作検出手段によって検出された前記第１操作手段の操作に応じて、前記表示手段によって表示される前記目標対象と前記照準位置との位置関係を調整する位置関係調整手段（例えば演出制御用マイクロコンピュータ８１のＣＰＵ８６がステップＳａ１７９の処理を実行する部分など）と、前記第２操作検出手段によって検出された前記第２操作手段の操作に応じて、前記表示手段によって表示される前記目標対象と前記照準位置との位置関係を決定する位置関係決定手段（例えば演出制御用マイクロコンピュータ８１のＣＰＵ８６がステップＳａ１８０の処理を実行する部分など）と、をさらに備え、前記報知演出実行手段は、前記位置関係調整手段によって前記目標対象と前記照準位置との位置関係が所定の範囲内に調整された状態で前記位置関係決定手段による決定が行われた場合、前記目標対象と前記照準位置との位置関係が前記所定の範囲外にある状態で前記位置関係決定手段による決定が行われた場合よりも、前記所定の報知演出を高い割合で実行する。
上記遊技機によれば、目標対象と照準位置との位置関係が所定の範囲内に調整された状態で位置関係決定手段による決定が行われたか、目標対象と照準位置との位置関係が所定の範囲外にある状態で位置関係決定手段による決定が行われたかに応じて、所定の報知演出が異なる割合で実行される。これにより、第１操作手段の操作によって目標対象と照準位置との位置関係が所定の範囲内に調整されたか否かといった第１操作手段に対する興趣を向上させることができる。
なお、可変表示手段と表示手段とは、一体に構成されるものであってもよい。
【手続補正５】
【補正対象書類名】明細書
【補正対象項目名】００１０
【補正方法】変更
【補正の内容】
【００１０】
（４）上記（３）に記載の遊技機において、前記報知演出実行手段は、前記目標対象と前記照準位置との位置関係が前記所定の範囲から外れるにつれて、前記所定の報知演出を低い割合で実行する。
上記遊技機によれば、目標対象と照準位置との位置関係が前記所定の範囲から外れるにつれて、所定の報知演出が低い割合で実行されるため、第１操作手段に対する興趣をさらに向上させることができる。
【手続補正６】
【補正対象書類名】明細書
【補正対象項目名】００１１
【補正方法】変更
【補正の内容】
【００１１】
（５）上記（１）又は（２）に記載の遊技機において、前記報知演出実行手段は、目標対象（例えば敵機など）と照準位置（例えば照準カーソルなど）とを表示する表示手段（例えば変動表示装置９や、液晶表示器１００９、演出制御用マイクロコンピュータ８１のＣＰＵ８６がステップＳａ１７４の処理を実行する部分など）と、前記第１操作検出手段によって検出された前記第１操作手段の操作に応じて、前記表示手段によって表示される前記目標対象と前記照準位置との位置関係を調整する位置関係調整手段（例えば演出制御用マイクロコンピュータ８１のＣＰＵ８６がステップＳａ１９８の処理を実行する部分など）と、前記位置関係調整手段によって前記目標対象と前記照準位置との位置関係が所定の範囲内に調整されたことに基づいて、該目標対象に対して該照準位置をロックオンするロックオン手段（例えば演出制御用マイクロコンピュータ８１のＣＰＵ８６がステップＳａ２０３の処理を実行する部分など）と、前記第２操作検出手段によって検出された前記第２操作手段の操作に応じて、前記表示手段によって表示される前記目標対象と前記照準位置との位置関係を決定する位置関係決定手段（例えば演出制御用マイクロコンピュータ８１のＣＰＵ８６がステップＳａ２０５の処理を実行する部分など）と、をさらに備え、前記報知演出実行手段は、前記ロックオン手段によってロックオンされた状態で前記位置関係決定手段による決定が行われた場合、前記ロックオン手段によってロックオンされていない状態で前記位置関係決定手段による決定が行われた場合よりも、前記所定の報知演出を高い割合で実行する。
上記遊技機によれば、目標対象に対して照準位置がロックオンされた状態で位置関係決定手段による決定が行われたか、目標対象に対して照準位置がロックオンされていない状態で位置関係決定手段による決定が行われたかに応じて、所定の報知演出が異なる割合で実行される。これにより、第１操作手段の操作によって目標対象に対して照準位置がロックオンされたか否かといった第１操作手段に対する興趣を向上させることができる。
なお、可変表示手段と表示手段とは、一体に構成されるものであってもよい。
また、報知演出実行手段は、ロックオン手段によってロックオンされた状態で位置関係決定手段による決定が行われた場合、所定の報知演出を常に実行し、ロックオン手段によってロックオンされていない状態で前記位置関係決定手段による決定が行われた場合には、所定の報知演出を常に実行しないようなものであってもよい。すなわち、上記遊技機における所定の報知演出が実行される割合には、“１”及び“０”の双方が含まれる。
【手続補正７】
【補正対象書類名】明細書
【補正対象項目名】００１２
【補正方法】変更
【補正の内容】
【００１２】
（６）上記（３）〜（５）の何れか一つに記載の遊技機において、前記報知演出実行手段は、前記所定の報知演出として、所定の条件が成立していることを示唆する報知演出を実行し、前記位置関係調整手段は、前記所定の条件が成立している場合、該所定の条件が成立していない場合よりも、前記目標対象と前記照準位置との位置関係を、前記所定の範囲内に容易に調整可能である。
上記遊技機によれば、所定の条件が成立している場合、所定の条件が成立していない場合よりも、目標対象と照準位置との位置関係を所定の範囲内に調整しやすいようにすることで、所定の条件が成立しているときに、報知演出が実行される割合を高くすることができるため、遊技興趣が向上する。